(57)【要約】【課題】引戸装置において、上ケース内で火炎が発生した場合の防火性能を確保する。【解決手段】  扉体６の上端面６２０には、扉体の室外側面部を越えて延びる第１延出部９０１と扉体の室内側面部を越えて延びる第２延出部９０２を備えた上面９０と、扉体の室外側面部に対向する室外側垂下辺９１と、扉体の室内側面部に対向する室内側垂下辺９２と、からなる火炎流動抵抗部材９が設けてあり、上ケース３の一部は、上ケースの室内側見付面と室内側下面を形成する点検カバー８から構成されており、第２延出部９０２は、室内側垂下辺９２が点検カバー８に対してクリアランスを存して対向するように、点検カバー８に向かって室内側に延び、扉体の上方で発生した火炎は、第２延出部９０２の上面によって扉体６から離間される。【選択図】図５
2020023880.tif 000002
【特許請求の範囲】
【請求項１】
扉体の上端部がクリアランスを存して上ケース内に受け入れられた状態で開閉移動する引戸装置において、
扉体の上端面には、扉体の室外側面部を越えて延びる第１延出部と扉体の室内側面部を越えて延びる第２延出部を備えた上面と、扉体の室外側面部に離間対向する室外側垂下辺と、扉体の室内側面部に離間対向する室内側垂下辺と、からなる火炎流動抵抗部材が設けてあり、
上ケースの一部は、当該上ケースの室内側見付面と室内側下面を形成する点検カバーから構成されており、
前記第２延出部は、前記室内側垂下辺が前記点検カバーの部分に対してクリアランスを存して対向するように、前記点検カバーに向かって室内側に延び、
前記扉体の上方で発生した火炎は、前記第２延出部の上面によって扉体から離間される、
引戸装置。
【発明の詳細な説明】
【技術分野】
【０００１】
本発明は、引戸装置に係り、詳しくは、防火性能を備えた引戸に関するものである。
【背景技術】
【０００２】
図９に示すように、上吊式の引戸装置では、扉体６の上端面に設けた戸車１０が、上ケース内で開口幅方向に延びるレール上１１を走行することで建物開口部を開閉する。扉体６の上方部位は、上ケースの下面に形成された開口から上ケース内に延びており、扉体６の開閉動作のため、扉体６と上ケース下面の開口との間には少なくとも数ミリのクリアランスＣが必要である。
【０００３】
上ケース内には、駆動機構７の構成要素、具体的には、樹脂部品（電線の被覆部や戸車１０の回転ローラ）やグリス（電動モータ７１）等の着火しやすい要素が存在することから、火災時等の熱でこれらの要素が着火し、火炎が上ケース下面のクリアランスＣから露出する可能性がある。従来の引戸装置においても、扉体６の上端は煙返し部材９´となっているが（特許文献１にも同様の構成が開示されている）、着火の可能性のある要素とクリアランスＣとの距離が近いため、実際に着火した場合には、気流に乗って火炎が外部に露出するおそれがあった。
【特許文献１】特許第５１８９３２８号
【発明の開示】
【発明が解決しようとする課題】
【０００４】
本発明は、引戸装置において、上ケース内で火炎が発生した場合の防火性能を確保することを目的とするものである。
【課題を解決するための手段】
【０００５】
本発明が採用した技術手段は、扉体の上端部がクリアランスを存して上ケース内に受け入れられた状態で開閉移動する引戸装置において、
扉体の上端面には、扉体の室外側面部を越えて延びる第１延出部と扉体の室内側面部を越えて延びる第２延出部を備えた上面と、扉体の室外側面部に離間対向する室外側垂下辺と、扉体の室内側面部に離間対向する室内側垂下辺と、からなる火炎流動抵抗部材が設けてあり、
上ケースの一部は、当該上ケースの室内側見付面と室内側下面を形成する点検カバーから構成されており、
前記第２延出部は、前記室内側垂下辺が前記点検カバーの部分に対してクリアランスを存して対向するように、前記点検カバーに向かって室内側に延び、
前記扉体の上方で発生した火炎は、前記第２延出部の上面によって扉体から離間される、
引戸装置、である。
典型的には、扉体の上端面に設けた戸車が上ケース内のレールを走行することで開口部を開閉する引戸装置であり、また、上ケース内で発火する場合には、扉体の上方の戸車やモータ部分が発火元となる可能性が高い。
【０００６】
本発明では、扉体と点検カバーとの間のスペースを利用して、火炎流動抵抗部材の室内側垂下辺を、扉体から離間させて、点検カバーに近づける。室内側垂下辺と点検カバーとの間のクリアランスは、扉体の開閉時を妨げない範囲で小さく設定することができる。
後述する実施形態では、前記点検カバーは、前記室内側見付面と前記室内側下面とで形成される角部の内側で開口幅方向に延びる横材を備えており、
前記室内側垂下辺は、前記横材に対してクリアランスを存して対向している。
また、点検カバーの垂直面（室内側見付面）の内側に横材のような部材がない場合には、室内側垂下辺が、点検カバーの垂直面（室内側見付面）の内面にクリアランスを存して対向するようにしてもよい。
また、後述する実施形態では、第１延出部は第２延出部に比べて延出寸法が短いが、扉体の室外側にスペースが存在するような納まりの場合には、第１延出部を第２延出部と同様に長くしてもよい。
【０００７】
１つの態様では、前記第２延出部には、上方に延びる立ち上がり辺が形成されている。
後述する実施形態では、前記立ち上がり辺は、第２延出部の先端に形成されており、室内側垂下辺と同一垂直面上に延びている。
なお、この立ち上がり辺が形成される部位は、第２延出部の先端に限定されず、中途部位でもよく、また、斜めに立ち上がるものでもよい。
【０００８】
１つの態様では、前記室内側下面には、前記室内側垂下辺の下端の直下に位置して熱膨張耐火部材が設けてある。
火災時の熱によって熱膨張耐火部材が発泡することで、室内側垂下辺の下端と室内側下面間のクリアランスを閉塞し、当該クリアランスを通る火炎の回りを防止する。
また、熱膨張耐火部材は平面上に設けられるので、扉体の開閉時や経年劣化によって離脱することが可及的に防止される。
【０００９】
１つの態様では、前記室外側垂下辺の下方に室外側下面が位置しており、
前記室外側下面には、前記室外側垂下辺の下端の直下に位置して熱膨張耐火部材が設けてある。
火災時の熱によって熱膨張耐火部材が発泡することで、室外側垂下辺の下端と室外側下面間のクリアランスを閉塞し、当該クリアランスを通る火炎の回りを防止する。
また、熱膨張耐火部材は平面上に設けられるので、扉体の開閉時や経年劣化によって離脱することが可及的に防止される。
【００１０】
１つの態様では、前記第１延出部の上方にレールを支承する支持辺が位置しており、前記第１延出部には、熱膨張耐火部材が設けてある。
火災時の熱によって熱膨張耐火部材が発泡することで、第１延出部と支持辺（レール）との間のクリアランスを閉塞し、当該クリアランスを通る火炎の回りを防止する。
第１延出部が第２延出部に比べて短い場合であっても、室外側の火炎の通り路を有効に遮断する。
また、熱膨張耐火部材は平面上に設けられるので、扉体の開閉時や経年劣化によって離脱することが可及的に防止される。
【００１１】
１つの態様では、前記火炎流動抵抗部材の上面の戸尻側端部は、前記扉体の戸尻側端面よりも突出しており、
前記戸尻側端部には立ち上がり辺が形成されていると共に、当該立ち上がり辺の下端に沿って熱膨張耐火部材が設けてある。
１つの態様では、前記上ケースの室内側下面、室外側下面には、それぞれ、室内側立ち上り辺、室外側立ち上り辺が形成され、前記室内側立ち上り辺と前記室外側立ち上がり辺間の横長開口に扉体の上端部がクリアランスを存して受け入れられており、
前記火炎流動抵抗部材の前記室内側垂下辺、前記室内側垂下辺の高さ寸法は、前記横長開口を形成する前記室内側立ち上り辺、室外側立ち上り辺の高さ寸法の２倍以上である。
扉体の上方で発生した火炎の扉体と室内側下面間のクリアランスまでの到達距離を長くするためには、前記火炎流動抵抗部材の前記室内側垂下辺、前記室内側垂下辺の高さ寸法は、大きいことが望ましく、３倍以上、４倍以上であってもよい。
【発明の効果】
【００１２】
本発明によれば、仮に上ケース内の樹脂部品等に着火した場合にも、上ケース下面のクリアランスから火炎が外部へ露出することを制限でき、もって、防火性能を確保することができる。
【００１３】
扉体の上方で発生した火炎は、扉体の室内側においては、火炎流動抵抗部材の第２延出部の上面によって扉体から離間され、さらに、室内側垂下辺によって、扉体から離間した状態が維持され、前記第２延出部の上面に沿って室内側に向かう火炎は、前記室内側垂下辺に沿って下方に案内され、前記室内側垂下辺と扉体の室内側面部との間の空間を通ることになり、扉体の上方で発生した火炎の扉体と室内側下面間のクリアランスまでの到達距離が長く設定されている。
【００１４】
火炎流動抵抗部材の第２延出部にさらに上方に延びる立ち上がり辺が形成することで、前記第２延出部の上面に沿って室内側に向かう火炎は、前記立ち上がり辺に沿って上方に案内され、前記室内側垂下辺に沿って下方に案内され、前記室内側垂下辺と扉体の室内側面部との間の空間を通ることになり、到達距離がさらに長くなる。
【００１５】
火炎流動抵抗部材の第１延出部の上方にレールを支承する支持辺が位置しており、前記第１延出部には、熱膨張耐火部材が設けたものでは、火災時の熱によって熱膨張耐火部材が発泡することで、第１延出部と支持辺（レール）との間のクリアランスを閉塞し、当該クリアランスを通る火炎の回りを防止する。
【００１６】
火炎流動抵抗部材の室外側垂下辺の下端の直下に位置して、室外側下面上に熱膨張耐火部材を設けたもの、また、火炎流動抵抗部材の室内側垂下辺の下端の直下に位置して、室内側下面上に熱膨張耐火部材を設けたものでは、火災時の熱によって熱膨張耐火部材が発泡することで、室外側垂下辺の下端と室外側下面間のクリアランス、室内側垂下辺の下端と室内側下面間のクリアランス、をそれぞれ閉塞し、当該クリアランスを通る火炎の回りを防止する。
【図面の簡単な説明】
【００１７】
【図１】本実施形態に係る引戸装置（全閉状態）を室内側から見た正面図である。
【図２】本実施形態に係る引戸装置の扉体の戸先側から見た側面図及び室内側から見た正面図である。
【図３】図２の側面図の上方部位の部分拡大図である。
【図４】図２に示す扉体の一部省略上面図である。
【図５】本実施形態に係る引戸装置の上ケースの内部を示す側面図である。
【図６】図５と類似の図であり、駆動機構を省略して示す図である。
【図７】図６の一部をさらに省略して上ケースの下枠部を示す部分図であって、熱膨張耐火部材が発泡して膨張してクリアランスを閉塞した状態を示す。
【図８】本実施形態に係る引戸装置の上ケースの内部を示す正面図である。
【図９】従来の引戸装置の上ケースの内部を示す側面図である。
【発明を実施するための形態】
【００１８】
本発明の実施形態について図面に基づいて説明する。図１は、本実施形態に係る引戸装置（全閉状態）を室内側から見た正面図であって、引戸装置は、戸先側縦枠１と、戸尻側縦枠２と、上ケース３と、下枠４と、から形成された枠部と、枠部の幅方向戸尻側半部に設けられた縦長方形状の固定パネル５と、幅方向戸先側半部に形成された建物開口部を開閉する縦長方形状の扉体６と、を備えている。
【００１９】
上ケース３は、全体として開口幅方向に延びる箱状体であり、内部空間には、扉体６の駆動機構７が収容されている（図５）。上ケース３の室内側部位は点検カバー８から形成されており、上ケース３は、ケース本体と、ケース本体に対して回動可能に取り付けられた点検カバー８と、からなる。点検カバー８を開放することで、上ケース３の内部空間を露出させ、駆動機構７のメンテナンスが可能となっている。なお、点検カバーは、ケース本体に対して回動可能なものに代えて、ケース本体に対して着脱可能なものであってもよい。
【００２０】
図２に示すように、扉体６は、戸先側縦框６０、戸尻側縦框６１、上框６２、下框６３と、扉体６の面部を構成するパネル体６´と、からなる。図３、図６、図７に示すように、上框６２は、上端面６２０（扉体６の上端面である）、室外側面部６２１、室内側面部６２２を備えている。図４に示すように、戸先側縦框６０は、戸先側端面６００、室外側面部６０１、室内側面部６０２を備えており、戸尻側縦框６１は、戸尻側端面６１０、室外側面部６１１、室内側面部６１２を備えている。
【００２１】
図５〜図７に示すように、扉体６の上端部位（上框６２の上半部、戸先側縦框６０の上端部位、戸尻側縦框６１の上端部位）は上ケース３の下面に形成されており、開口幅方向に延びる横長の開口を通って上ケース３内に延びており、扉体６と開口との間にはクリアランスＣが存在している。扉体６の上端面６２０には、火炎流動抵抗部材９が固定されており、クリアランスＣを通る煙の流動や火炎の回りを遅延させ、また、抵抗を与えようになっている。固定パネル５は、枠部に固定されており不動なので、固定パネル５の上端と上ケース３との間には、そこから火災時に煙や火炎が露出するようなクリアランスは形成されない。図４に示すように、戸尻側縦框６１の室外側面部６１１には、高さ方向に延びる煙返し部材６４が設けてあり、開口部全閉時に、固定パネル５の戸先側縦框の屋外側面部に形成された煙返し部材（図示せず）とあいじゃくり状になることで、開口部全閉時に扉体６の戸尻側縦框６１と固定パネル５の戸先側縦框との間からの煙の流動や火炎の回りを遅延させる。
【００２２】
図３、図４に示すように、火炎流動抵抗部材９は、扉体６の上端面６２０に亘って延びる長尺材であって、水平状に延びる上面９０と、室外側垂下辺９１と、室内側垂下辺９２と、室内側垂下辺９２の上方に延びる室内側立ち上り辺９３と、を備えている。火炎流動抵抗部材９は、扉体６の上端面６２０のほぼ全幅に沿って延びる長さ寸法を備えているが、本実施形態では、火炎流動抵抗部材９の戸先側は、扉体６の戸先側縦框６０の戸先側端面６００までは達しておらず、火炎流動抵抗部材９の戸尻側は、扉体６の戸尻側縦枠６１の戸先側端面６１０を越えて延びる延出部９Ａを備えている。上面９０の戸尻側端部（延出部９Ａの戸尻側端部）には、立ち上がり辺９４が形成されている。立ち上がり辺９４の上端は室内側立ち上り辺９３の上端よりも低い。また、立ち上がり辺９４の室外側部位は切り欠かれている。
【００２３】
図３に示すように、上面９０は、幅方向において、扉体６の上端面６２０に載る中央部分９００と、上端面６２０を越えて室外側に延びる室外側延出部分９０１と、上端面６２０を越えて室内側に延びる室内側延出部分９０２と、からなる。図４に示すように、上面９０の室外側部位（室外側延出部分９０１）には、長さ方向に亘って熱膨張耐火部材１２が設けてあり、上面９０の戸尻側端部（延出部９Ａの端部）には、幅方向に亘って熱膨張耐火部材１２が設けてある。
【００２４】
図３に示すように、室内側延出部分９０２の延出寸法は、室外側延出部分９０１よりも大きい。よって、上面９０の室内側端部（室内側延出部分９０２の端部）から垂下する室内側垂下辺９２と上框６２の室内側面部６２２との間の距離Ｌ１は、上面９０の室外側端部（室外側延出部分９０１の端部）から垂下する室外側垂下辺９１と上框６２の室外側面部６２１との間の距離Ｌ２よりも大きく、すなわち、上面９０の室内側端部（室内側延出部分９０２の端部）から垂下する室内側垂下辺９２と室内側クリアランスＣまでの距離は、上面９０の室外側端部（室外側延出部分９０１の端部）から垂下する室外側垂下辺９１から室外側クリアランスＣまでの距離よりも大きい。なお、構造上、距離Ｌ２を長く取ることが可能な場合には、距離Ｌ２を長くしてもよく、例えば、距離Ｌ１と同程度の長さとしてもよい。
【００２５】
図５、図６、図８に示すように、扉体６は上吊式引戸であり、上端面６２０（具体的には、火炎流動抵抗部材９を介して）には、戸先側部位と、戸尻側部位にそれぞれ戸車１０が設けてあり、上ケース３の内部空間の下側部位に位置して開口幅方向に延びるレール１１上を転動するようになっている。図２に示すように、扉体６の下端部には、振れ止め用突起６５が形成されており、下枠４に形成されたガイド溝（図示せず）に沿って移動するようになっている。また、下端部の戸先側にはロック装置６６が設けてある。
【００２６】
戸先側の戸車が従動側戸車、戸尻側の戸車が駆動側戸車となっており、駆動機構７は、駆動側戸車１０を走行させる駆動チェーン７０と、駆動チェーン７０を駆動させる電動モータ７１と、を備えており、通常時には、電動モータ７１の正逆回転によって、戸車１０がレール１１上を転動することで、扉体６がレール１１上をスライド移動して開口部を開閉する。駆動機構７は、さらに、自閉装置７２を備えており、開口部開放状態（全開及び半開を含む）において火災が発生した場合には、自閉装置７２が作動して、扉体６を閉鎖方向に移動させて全閉状態とする。このような自閉装置（扉体の閉鎖方向への付勢手段を備えており、通常時には付勢手段による閉鎖方向への移動が規制されており、火災時等に規制を解除する）は当業者において公知なので、詳細な説明は省略する。
【００２７】
ケース本体は、上面３０と、室外側見付面３１と、室外側見付面３１の下方に形成した下枠部と、からなる。図示の態様では、下枠部は、クリアランスＣに近い側の第１水平面３２と、クリアランスＣから遠い側の第２水平面３３と、第１水平面３２と第２水平面３３との間に形成された下向き凹状部３４と、第１水平面３２の先端（クリアランスＣに臨む端部）に形成された垂直状の立ち上がり辺３５と、第１水平面３２の基端に形成された垂直辺３６と、を備えている。垂直辺３６の上端から室外側に向かって水平辺３７が形成されており、レール１１を支承する支持辺３８の基端側が水平辺３７に支持されている。下枠部の開口幅方向戸先側半部では、下向き凹状部３４を閉塞することで第１水平面３２、第２水平面３３が全体として水連続状の平面となっており（図５参照）、開口幅方向戸尻側半部では、下向き凹状部３４に固定パネル５の上端部位が嵌め込まれており、固定パネル５を挟んで第１水平面３２、第２水平面３３が形成されている（図６、図７参照）。
【００２８】
点検カバー８は、上ケース３の室内側見付面を形成する垂直面８０と、上ケース３の室内側下面を形成する水平面８１と、から断面視Ｌ形状を備えており、水平面８１の先端には、垂直状の立ち上がり辺８２が形成されている。点検カバー８は、垂直面８０の上端を、ケース本体に対して丁番８００を介して連結することで、ケース本体に対して回動可能となっている。
【００２９】
点検カバー８の垂直面８０と水平面８１の角部の内側には長さ方向（開口幅方向）に亘って断面視方形状の横材８３が設けてある。ケース本体の長さ方向（開口幅方向）の両端には水平片８４０と垂直片８４１とからＬ形状の支持ブラケット８４が設けてあり、点検カバー８は、横材８３の上面８３０を支持ブラケット８４の水平片８４０の下面に当接させた状態で、螺子８５で横材８３と支持ブラケット８４を止着することで、ケース本体に対して固定される。
【００３０】
点検カバー８の水平面８１の先端に形成された立ち上がり辺８２と、ケース本体の下枠部の立ち上がり辺３５との間に、開口幅方向に延びる横長開口が形成されており、この横長開口に扉体６の上端部位が受け入れられており、立ち上がり辺８２と上框６２の室内側面部６２２、戸先側縦框６０の室内側面部６０２の上方部位、戸尻側縦框６１の室内側面部６１２の上方部位との間に室内側クリアランスＣが形成され、立ち上がり辺３５と上框６２の室外側面部６２１、戸先側縦框６０の室外側面部６０１の上方部位、戸尻側縦框６１の室外側面部６１１の上方部位との間に室外側クリアランスＣが形成される。
【００３１】
開口部全閉状態では、図６、図７に示すように、立ち上がり辺８２がクリアランスＣを介して上框６２の室内側面部６２２、戸先側縦框６０の室内側面部６０２の上方部位、戸尻側縦框６１の室内側面部６１２の上方部位に対向している。扉体６の上端に取り付けた火炎流動抵抗部材９の室内側垂下辺９２は、上面９０の室内側延出部分９０２によってクリアランスＣから大きく室内側に持ち出されて離間して延びており、横材８３の垂直面８３１にクリアランスＣ１を存して対向近接している。室内側延出部分９０２の室内側端部には上方に向かって立ち上がり辺９３が延びており、下方に向かって室内側垂下辺９２が延びている。室内側垂下辺９２の下端の下方に位置して、クリアランスＣ２存して水平面８１が位置しており、水平面上には、室内側垂下辺９２の下端の直下に位置して、長さ方向に亘って熱膨張耐火部材１２が設けてある。
【００３２】
開口部全閉状態では、図６、図７に示すように、立ち上がり辺３５がクリアランスＣを介して上框６２の室外側面部６２１、戸先側縦框６０の室外側面部６０１の上方部位、戸尻側縦框６１の室外側面部６１１の上方部位に対向している。火炎流動抵抗部材９の上面９０の室外側延出部分９０１は、レール１１を支承する支持辺３８の下側にクリアランスＣ３を存して対向離間して延びており、室外側延出部分９０１の上面には長さ方向に亘って熱膨張耐火部材１２が設けてある。室外側垂下辺９１は、室外側に位置する垂直辺３６とクリアランスＣ４を存して近接対向している。室外側垂下辺９１の下端の下方にクリアランスＣ５を存して第１水平面３２が位置しており、第１水平面３２上には長さ方向に亘って熱膨張耐火部材１２が設けてある。扉体６の上端に取り付けた火炎流動抵抗部材９の室外側垂下辺９１の下方部位が、立ち上がり辺３５の上方部位の室外側に位置してクリアランスＣ６を存して近接対向している。
【００３３】
上ケース３の内部空間と室内側クリアランスＣとの間の流体の移動経路は、内部空間から室外側クリアランスＣへ流れる場合について説明すると、火炎流動抵抗部材９の上面９０の室内側延出部位９０２の上面に沿って室内側に向かって横向きに流れ、火炎流動抵抗部材９の立ち上がり辺９３に沿って上向きに流れ、火炎流動抵抗部材９の室内側垂下辺９２の室内側面に沿って当該室内側垂下辺９２と横材８３の垂直面８３１との間のクリアランスＣ１を通って下向きに流れ、室内側垂下辺９２の下端と水平面８１との間のクリアランスＣ２を通って、水平面８１の上面に沿って室外側に向かって横向きに流れ、立ち上がり辺８２と、上框６２の室内側面部６２２、戸先側縦框６０の室内側面部６０２の上方部位、戸尻側縦框６１の室内側面部６１２の上方部位、との間のクリアランスＣを通って下向きに流れる。
【００３４】
上ケース３の内部空間と室外側クリアランスＣとの間の流体の移動経路は、内部空間から室外側クリアランスＣへ流れる場合について説明すると、支持辺３８と火炎流動抵抗部材９の上面９０の室外側延出部位９０１との間のクリアランスＣ３を通って室外側に向かって横向きに流れ、火炎流動抵抗部材９の室外側垂下辺９１の室外側面に沿って当該室外垂直辺９１と垂直辺３６との間のクリアランスＣ４を通って下向きに流れ、室外側垂下辺９１の下端と第１水平面３２との間のクリアランスＣ５から、室外側垂下辺９１の下方部位と立ち上がり辺３５との間のクリアランスＣ６に沿って上向きに流れ、立ち上がり辺３５と、上框６２の室外側面部６２１、戸先側縦框６０の室外側面部６０１の上方部位、戸尻側縦框６１の室外側面部６１１の上方部位との間のクリアランスＣを通って下向きに流れる。
【００３５】
図５、図６と図９を対比すると明らかなように、本実施形態において、上ケース３内に位置する扉体６の上方部位の高さ寸法は、従来の扉体６の上方部位の高さ寸法よりも大きく設計されており、火炎流動抵抗部材９の室外側垂下辺９１、室内側垂下辺９２の高さ寸法が、立ち上がり辺３５、立ち上がり辺８２の高さ寸法よりも大きく設計されている（図示の態様では、ほぼ４倍であるが、少なくとも２倍の高さに設定される）。火炎流動抵抗部材９の室外側垂下辺９１、室内側垂下辺９２の高さ寸法を大きくすることで、クリアランスＣ４、クリアランスＣ１を長くし、もって、扉体６の上方で発生した火炎のクリアランスＣまでの到達距離を長くしている。なお、扉体６の上方部位を上ケース３内に挿入させるためには、立ち上がり辺３５の高さ寸法を大きくすることが困難であり、また、点検カバー８の開閉のためには、立ち上がり辺８２の高さ寸法を大きくすることが困難である。
【００３６】
熱膨張耐火部材１２は、例えば、温度が１５０℃〜２５０℃の温度に加熱されることで発泡して膨張する部材である。熱膨張耐火部材１２としては、例えば、積水化学工業株式会社のフィブロック（登録商標）を用いることができる。本実施形態では、シート片からなる熱膨張耐火部材１２は、接着テープによって固定される。これらの熱膨張耐火部材１２は、火災時の熱によって膨張し、各熱膨張耐火部材１２の周囲の空隙を閉塞するようになっている。
【００３７】
上ケース３の内部空間での火炎の発生源としては、樹脂製の戸車１０、モータ７１のオイル、モータ７１への電線被覆部等が例示され、これらは、全閉姿勢にある扉体６の上方に位置することになる。また、火災発生時に扉体６が全開状態あるいは半開状態にある時には、自閉装置７２によって、開口部全閉状態となる。
【００３８】
扉体６の室内側においては、扉体６の上方部位で発生した火炎は、火炎流動抵抗部材９の室内側延出部分９０２の上面によって、扉体６から離間するように遠ざけられ、かつ、室内側延出部分９０２、室内側立ち上り辺９３、室内側垂下辺９２、水平面８１によって、火炎がクリアランスＣに到達するまでの距離が長くなっている。また、火炎の熱によって、水平面８１上の熱膨張耐火部材１２が発泡すると、発泡膨張した熱膨張耐火部材１２´によってクリアランスＣ１の下端部位及びクリアランスＣ２が閉塞される。したがって、上ケース３の内部空間で発生した火炎が室内側のクリアランスＣから露出することが可及的に防止される。
【００３９】
扉体６の室外側においては、扉体６の上方部位で発生した火炎は、火炎流動抵抗部材９の室外側延出部分９０１の上面によって、扉体６から離間されるが、火炎の熱によって、室外側延出部分９０１上の熱膨張耐火部材１２が発泡すると、発泡膨張した熱膨張耐火部材１２´によって室外側延出部分９０１と支持辺３８との間のクリアランスＣ３が閉塞される。火炎の熱によって、第１水平面３２上の熱膨張耐火部材１２が発泡すると、発泡膨張した熱膨張耐火部材１２´によってクリアランスＣ４の下方部位、クリアランスＣ５、クリアランスＣ６が閉塞される。したがって、上ケース３の内部空間で発生した火炎が室外側のクリアランスＣから露出することが可及的に防止される。
【００４０】
また、火炎流動抵抗部材９の上面９０の戸尻側端部、すなわち延出部９Ａの端部には、幅方向に亘って熱膨張耐火部材１２が設けてあり、この熱膨張耐火部材１２が火炎の熱によって立ち上がり辺９４に沿って発泡すると、全閉状態にある扉体６の上端面６２０の戸尻側に膨張した熱膨張耐火部材１２の盛り上がり部が形成され、この盛り上がり部が障害となって火炎の流動を妨げることで、扉体６の上方で発生した火炎が、扉体６の戸尻側に回って上ケース３の下面から露出することが可及的に防止される。
【符号の説明】
【００４１】
３  上ケース
３５  室外側立ち上り辺
６  扉体
６２１  室外側面部
６２２  室内側面部
７  駆動機構
８  点検カバー
８０  垂直面（室内側見付面）
８１  水平面（室内側下面）
８２  室内側立ち上り辺
８３  横材
９  火炎流動抵抗部材
９０  上面
９０１  室外側延出部分（第１延出部）
９０２  室内側延出部分（第２延出部）
９１  室外側垂下辺
９２  室内側垂下辺
９３  室内側の立ち上がり辺
９４  戸尻側の立ち上がり辺
１０  戸車
１１  レール
１２  熱膨張耐火部材
３２  第１水平面（室外側下面）
３８  支持辺
Ｃ、Ｃ１、Ｃ２、Ｃ３、Ｃ４、Ｃ５、Ｃ６  クリアランス
【図１】
2020023880.tif 000003
【図２】
2020023880.tif 000004
【図３】
2020023880.tif 000005
【図４】
2020023880.tif 000006
【図５】
2020023880.tif 000007
【図６】
2020023880.tif 000008
【図７】
2020023880.tif 000009
【図８】
2020023880.tif 000010
【図９】
2020023880.tif 000011